(57)【要約】【課題】施工精度や寸法精度に関わらず、高い品質を維持することが可能な玄関構造を提供する。【解決手段】玄関防水パン１０の側板部１２と段差６の側面との間には、玄関防水パン１０の底面の縦横寸法が玄関土間部１ｂの床面の縦横寸法よりも短く設定されることによって隙間Ｓが形成されており、玄関防水パン１０の側板部１２のうち玄関出入口２ａとは反対側に位置する側板部１２と、段差６の側面との間の隙間Ｓには、玄関防水パン１０自体をサッシ７の下枠７ａ側に移動させるスペーサー１４が差し込まれている。【選択図】図１
2016044497.tif 000002
【特許請求の範囲】
【請求項１】
部屋側の床面との間に段差を介し、かつ玄関出入口に面して設けられた玄関土間部に対し、玄関防水パンが設置されてなる玄関構造において、
前記玄関防水パンは、前記玄関出入口を除く部位に設けられる側板部を備えており、
前記玄関出入口には玄関ドア用のサッシが取り付けられ、当該サッシは、前記玄関防水パンの出入口側端部がシーリング材を介して接する下枠を備えており、
前記玄関防水パンの前記側板部と前記段差の側面との間には、前記玄関防水パンの底面の縦横寸法が前記玄関土間部の床面の縦横寸法よりも短く設定されることによって隙間が形成されており、
前記玄関防水パンの前記側板部のうち前記玄関出入口とは反対側に位置する側板部と、前記段差の側面との間の前記隙間には、前記玄関防水パン自体を前記サッシの前記下枠側に移動させるスペーサーが差し込まれていることを特徴とする玄関構造。
【請求項２】
請求項１に記載の玄関構造において、
前記玄関土間部は、
前記玄関防水パンの被設置面となる下地床面と、
前記下地床面の周縁部のうち前記玄関出入口を除く縁部に設けられ、前記段差を形成する角材と、
前記角材の側面に、当該角材の、前記玄関防水パン側への延長用として必要に応じて固定される調整材と、を備えており、
前記玄関防水パンの前記側板部の上方には、前記部屋側の床面と前記玄関土間部との境界部分を化粧する框材が配置され、
当該框材は、前記角材または／および前記調整材に対して固定されていることを特徴とする玄関構造。
【請求項３】
請求項２に記載の玄関構造において、
前記框材は、
前記角材または／および前記調整材に固定される下地材と、
前記下地材に固定される框材本体と、を備えることを特徴とする玄関構造。
【請求項４】
請求項３に記載の玄関構造において、
前記玄関土間部の縁部に沿って壁が設けられ、当該壁のうち前記玄関土間部側の面には化粧面材が取り付けられており、
前記化粧面材の下端面は、前記框材の上面に接していることを特徴とする玄関構造。
【請求項５】
請求項４に記載の玄関構造において、
前記壁は、前記角材上に設けられており、
前記玄関防水パンの前記側板部のうち前記壁側の側板部と、前記壁の下に設けられた前記角材の側面との間に前記隙間が形成されており、
前記下地材は、
前記隙間に挿入される挿入部と、
前記挿入部の上端部に一体形成されるとともに前記側板部の上方に位置し、前記框材本体が固定される被固定部と、を有することを特徴とする玄関構造。
【発明の詳細な説明】
【技術分野】
【０００１】
本発明は、戸建住宅や集合住宅等の建物における玄関の構造に関する。
【背景技術】
【０００２】
例えば特許文献１に記載のように、従来、玄関のある階の床面よりも一段低い床面に防水床パンを設置して、当該箇所を玄関の土間とする技術が知られている。また、玄関段差の縁には、埋木等の調整材を下地材として利用して、上がり框等の框材が設けられる。
【先行技術文献】
【特許文献】
【０００３】
【特許文献１】実開平０４−００２８２９号公報
【発明の概要】
【発明が解決しようとする課題】
【０００４】
ところで、防水床パンを床面に設置するに当たっては、施工精度や寸法精度等に係る諸問題が生じる場合がある。すなわち、防水床パンを床面に設置する際の施工精度が低いと、例えば側壁部の無い部分とドア枠との間の水密性を確保しにくい。また、防水床パンの平板部における縦横の寸法が、被設置面である床面における縦横の寸法と近似していると、防水床パンの側壁部と段差の側面との間に隙間が無くなり、防水床パンの設置作業がしにくくなる。
そして、このような諸問題が解決し得なければ、結果的に、高い品質を維持できないという問題がある。
【０００５】
本発明の課題は、施工精度や寸法精度に関わらず、高い品質を維持することが可能な玄関構造を提供することである。
【課題を解決するための手段】
【０００６】
請求項１に記載の発明は、例えば図１〜図９に示すように、部屋側の床面（例えば玄関ホール部１ａ側の床面）との間に段差６を介し、かつ玄関出入口２ａに面して設けられた玄関土間部１ｂに対し、玄関防水パン１０が設置されてなる玄関１構造において、
前記玄関防水パン１０は、前記玄関出入口２ａを除く部位に設けられる側板部１２を備えており、
前記玄関出入口２ａには玄関ドア２ｂ用のサッシ７が取り付けられ、当該サッシ７は、前記玄関防水パン１０の出入口側端部がシーリング材８を介して接する下枠７ａを備えており、
前記玄関防水パン１０の前記側板部１２と前記段差６の側面との間には、前記玄関防水パン１０の底面（底板部１１）の縦横寸法が前記玄関土間部１ｂの床面（下地床面５）の縦横寸法よりも短く設定されることによって隙間Ｓが形成されており、
前記玄関防水パン１０の前記側板部１２のうち前記玄関出入口２ａとは反対側に位置する側板部１２と、前記段差６の側面との間の前記隙間Ｓには、前記玄関防水パン１０自体を前記サッシ７の前記下枠７ａ側に移動させるスペーサー１４が差し込まれていることを特徴とする。
【０００７】
請求項１に記載の発明によれば、玄関防水パン１０の側板部１２と段差６の側面との間には、玄関防水パン１０の底面（底板部１１）の縦横寸法が玄関土間部１ｂの床面（下地床面５）の縦横寸法よりも短く設定されることによって隙間Ｓが形成されているので、例えば玄関防水パン１０の底面の縦横寸法が、玄関土間部１ｂの床面の縦横寸法とが近似する場合に比して、玄関防水パン１０を、玄関土間部１ｂに対して、寸法精度に関わりなく容易に設置することができる。
さらに、玄関防水パン１０の側板部１２のうち、玄関出入口２ａとは反対側に位置する側板部１２と、段差６の側面との間の隙間Ｓには、玄関防水パン１０自体をサッシ７の下枠７ａ側に移動させるスペーサー１４が差し込まれているので、玄関防水パン１０の施工精度や寸法精度に関わりなく、玄関防水パン１０の出入口側端部をサッシ７の下枠７ａに当接させることができる。また、この時、玄関防水パン１０の出入口側端部をシーリング材８に対して押し付けることができるので、玄関防水パン１０の出入口側端部とサッシ７の下枠７ａとの間の水密性を確保することができる。
これによって、施工精度や寸法精度に関わらず、高い品質を維持することが可能な玄関１構造を提供することができる。
【０００８】
請求項２に記載の発明は、例えば図１〜図９に示すように、請求項１に記載の玄関１構造において、
前記玄関土間部１ｂは、
前記玄関防水パン１０の被設置面となる下地床面５と、
前記下地床面５の周縁部のうち前記玄関出入口２ａを除く縁部に設けられ、前記段差６を形成する角材６ａと、
前記角材６ａの側面に、当該角材６ａの、前記玄関防水パン１０側への延長用として必要に応じて固定される調整材６ｂと、を備えており、
前記玄関防水パン１０の前記側板部１２の上方には、前記部屋側の床面（例えば玄関ホール部１ａ）と前記玄関土間部１ｂとの境界部分を化粧する框材４が配置され、
当該框材４は、前記角材６ａまたは／および前記調整材６ｂに対して固定されていることを特徴とする。
【０００９】
請求項２に記載の発明によれば、玄関防水パン１０が下地床面５に設置され、框材４が角材６ａまたは／および調整材６ｂに対して固定されているので、玄関防水パン１０の寸法精度や下地床面５に対する施工精度に関わりなく、当該玄関防水パン１０の側板部１２の上端部を、框材４によって遮蔽することができ、部屋側の床面と玄関土間部１ｂとの境界部分を化粧することができる。
【００１０】
請求項３に記載の発明は、例えば図１，図４〜図９に示すように、請求項２に記載の玄関１構造において、
前記框材４は、
前記角材６ａまたは／および前記調整材６ｂに固定される下地材４ｄと、
前記下地材４ｄに固定される框材本体（上面部４ａ、第一側面部４ｂ、第二側面部４ｃ）と、を備えることを特徴とする。
【００１１】
請求項３に記載の発明によれば、框材４は、角材６ａまたは／および調整材６ｂに固定される下地材４ｄと、下地材４ｄに固定される框材本体と、を備えるので、下地材４ｄと框材本体とを別々に施工することができる。また、このように下地材４ｄと框材本体とを別々に施工できれば、いずれか一方を加工したり、リフォーム時に框材本体だけを交換したりできるなど、利点が多い。
【００１２】
請求項４に記載の発明は、例えば図１，図６，図７，図９に示すように、請求項３に記載の玄関１構造において、
前記玄関土間部１ｂの縁部に沿って壁２，３が設けられ、当該壁２，３のうち前記玄関土間部１ｂ側の面には化粧面材２ｃ，３ｃが取り付けられており、
前記化粧面材２ｃ，３ｃの下端面は、前記框材４の上面に接していることを特徴とする。
【００１３】
請求項４に記載の発明によれば、壁２，３のうち玄関土間部１ｂ側の面に取り付けられる化粧面材２ｃ，３ｃの下端面を、框材４の上面に接するようにすれば、特に玄関１そのものが壁２，３際に配置される際に、玄関防水パン１０と壁２，３とを近づけた状態で、框材４によって、玄関防水パン１０の側板部１２の上端部を遮蔽することができる。
【００１４】
請求項５に記載の発明は、例えば図７に示すように、請求項４に記載の玄関１構造において、
前記壁２は、前記角材６ａ上に設けられており、
前記玄関防水パン１０の前記側板部１２のうち前記壁２側の側板部１２と、前記壁２の下に設けられた前記角材６ａの側面との間に前記隙間Ｓが形成されており、
前記下地材４ｄは、
前記隙間Ｓに挿入される挿入部４ｅと、
前記挿入部４ｅの上端部に一体形成されるとともに前記側板部１２の上方に位置し、前記框材本体が固定される被固定部４ｆと、を有することを特徴とする。
【００１５】
請求項５に記載の発明によれば、下地材４ｄの挿入部４ｅが隙間Ｓに挿入され、被固定部４ｆが側板部１２の上方に配置され、この被固定部４ｆに対して框材本体が固定されるので、特に壁２が角材６ａ上に設けられて、下地材４ｄの固定箇所が十分に確保できない場合であっても、框材４によって、部屋側の床面と玄関土間部１ｂとの境界部分を確実に化粧することができる。
【発明の効果】
【００１６】
本発明によれば、施工精度や寸法精度に関わらず、高い品質を維持することが可能な玄関構造を提供することができる。
【図面の簡単な説明】
【００１７】
【図１】玄関の一例を示す平面図である。
【図２】玄関土間部のうち、玄関出入口側とは反対側の端部の形態を示す断面図である。
【図３】玄関土間部のうち、玄関出入口側の端部の形態を示す断面図である。
【図４】図１におけるＡ−Ａ線断面部分拡大図である。
【図５】図１におけるＢ−Ｂ線断面部分拡大図である。
【図６】図１におけるＣ−Ｃ線断面部分拡大図である。
【図７】図１におけるＤ−Ｄ線断面部分拡大図である。
【図８】調整材が複数設けられた場合の形態を示す部分拡大図である。
【図９】玄関の施工方法の一例を示す斜視図である。
【発明を実施するための形態】
【００１８】
以下、図面を参照して本発明の実施の形態について説明する。
図１において符号１は、戸建て住宅や集合住宅等の建物の玄関を示す。玄関１は、当該玄関１のある階の部屋の床面と略等しい高さに位置する床面を有する玄関ホール部１ａと、当該玄関ホール部１ａよりも一段低い位置に設けられた玄関土間部１ｂと、を備える。
玄関１と屋外との境界には外壁２が設けられ、当該外壁２には玄関ドア２ｂ付きの玄関出入口２ａが形成されている。玄関土間部１ｂは、この玄関ドア２ｂ付きの玄関出入口２ａの内側に配置されている。
なお、本実施の形態において、玄関ホール部１ａの床面と部屋の床面は連続するものであって、特に区別されないものとする。
【００１９】
図１に示すように、本実施の形態では、平面視において略四角形状に形成された玄関土間部１ｂの前側には玄関出入口２ａがあり、左側には、外壁２と直交する間仕切壁３が設けられている。
また、後側および右側は、玄関ホール部１ａに向かって通行可能な開放領域となっている。すなわち、玄関１の隅部であって壁２，３際に玄関土間部１ｂが配置され、玄関１の他の部分が玄関ホール部１ａ（部屋であってもよい）となっている。なお、玄関ホール部１ａのうち、玄関土間部１ｂの後側または右側には、シューズボックス等が設置されてもよい。
なお、外壁２および間仕切壁３は、玄関土間部１ｂの縁部に沿って設けられているものとする。
【００２０】
本実施の形態において玄関土間部１ｂとは、玄関１のうち、玄関ホール部１ａ側の床面との間に段差６を介し、かつ玄関出入口２ａに面して設けられた箇所（領域）を指している。
当該玄関土間部１ｂは、下地床面５と、段差６を形成する角材６ａと、調整材６ｂと、を備える。そして、このような玄関土間部１ｂに対して玄関防水パン１０が設置されている。
なお、本実施の形態の玄関土間部１ｂは、平面視において略四角形状に形成されるものとしたが、図１において玄関ドア２ｂおよびサッシ７の位置によっては、平面視略Ｌ形状に形成されてもよいものとする。
【００２１】
下地床面５は、図２，図３に示すように、床を構成する枠体５ａの上面に貼り付けられた面材（例えば合板）の上面を指しており、玄関防水パン１０の被設置面となる。
角材６ａは、下地床面５の周縁部のうち玄関出入口２ａを除く縁部に設けられ、段差６を形成するものである。本実施の形態においては断面正方形状の角材（木材）が採用されているが、断面矩形状であってもよい。
調整材６ｂは、角材６ａの側面に、当該角材６ａの、玄関防水パン１０側への延長用として必要に応じて固定される角材（木材）である。
【００２２】
玄関ホール部１ａと玄関土間部１ｂとの関係をより詳細に説明すると、図１〜図７に示すように、下地床面５の周縁部のうち、玄関出入口２ａを除く縁部に角材６ａが設置されており、当該角材６ａによって囲まれた位置に、玄関防水パン１０が設置されることになる。すなわち、玄関ホール部１ａと玄関土間部１ｂとの間の段差６は、当該角材６ａ（および調整材６ｂ）によって形成されており、角材６ａ（および調整材６ｂ）の上面は、玄関ホール部１ａを構成する床体の上面と面一の状態となっている。
また、段差６を形成する角材６ａまたは／および調整材６ｂには、下地床面５の上方に突出する框材４が取り付けられており、玄関ホール部１ａと玄関土間部１ｂとの境界部分を化粧している。すなわち、框材４は、平面視において、玄関出入口２ａに面する部分を除いた位置に設けられており、玄関土間部１ｂの周縁部は、框材４によって遮蔽された状態となっている。
また、外壁２および間仕切壁３は、角材６ａ上に設置された状態となっている。
【００２３】
また、下地床面５の玄関出入口２ａ側には、玄関ドア２ｂを受けるサッシ７の下枠７ａが設けられている。
サッシ７は、玄関出入口２ａの周縁部に沿って矩形枠状に形成され、下枠７ａの他に、図示しない上枠と、両側枠７ｂと、を備える。
【００２４】
また、下地床面５に設置される玄関防水パン１０は、全体が一体または一体的に形成されたものであり、底板部１１と、側板部１２と、防水シート１３と、を備える。
なお、本実施の形態の玄関防水パン１０としては、金属製または樹脂製のものが用いられるものとする。
【００２５】
底板部１１は、下地床面５の前後方向および左右方向の長さ（縦横寸法）よりも若干短い長さに設定されている。すなわち、底板部１１と下地床面５は、略同様の形状（四角形または略Ｌ字状）に形成され、底板部１１は、下地床面５の面積よりも若干小さい面積に設定されている。
そして、このように玄関防水パン１０の底板部１１の縦横寸法が、下地床面５の縦横寸法よりも短く設定されることによって、玄関防水パン１０の側板部１２と段差６の側面との間には隙間Ｓが形成された状態となる。隙間Ｓは、図１，図４〜図７に示すように、玄関防水パン１０の四方に形成された状態となっている。
なお、当該底板部１１は、下地床面５に対して接着剤によって接合されている。
【００２６】
側板部１２は、底板部１１と一体に、かつ当該底板部１１の周縁部から上方に向かって立ち上がるように形成されている。また、当該側板部１２は、底板部１１の周縁部のうち、玄関防水パン１０のうち玄関出入口２ａに面する部分を除く位置に設けられている。
さらに、当該側板部１２は、上端部に、底板部１１中央側に折り返して形成される水返し１２ａが設けられている。水返し１２ａによって、水が側板部１２を越えることを抑えることができる。
また、当該側板部１２の上端部は、框材４によって遮蔽されている。すなわち、框材４は、図４等に示すようにオーバーハングしており、その直下に側板部１２の上端部が位置した状態となっている。
【００２７】
防水シート１３は、底板部１１の上面に貼り付けられるものであり、当該底板部１１の上面の面積と略等しい面積に設定されている。
すなわち、当該防水シート１３の周縁部のうち側板部１２側の縁部は、図４等に示すように当該側板部１２に接しており、玄関出入口２ａ側の縁部は、図３に示すように、底板部１１の玄関出入口２ａ側端部と揃った状態となっている。
なお、当該防水シート１３は、底板部１１に対して接着剤によって接合されている。
【００２８】
サッシ７の下枠７ａは、玄関防水パン１０側にシーリング材８を設けるための収容部７ｃを備える。当該収容部７ｃは、玄関防水パン１０側に向かって開口する略凹字状空間を有するようにして形成されており、当該凹字状空間に対してシーリング材８が充填されている。
本実施の形態において、シーリング材８は水密性を有する樹脂製のものが採用されている。
玄関防水パン１０は、底板部１１および防水シート１３の玄関出入口２ａ側縁部が、シーリング材８に対して押し付けられた状態で設置される。すなわち、上述のように底板部１１は、下地床面５の前後方向の長さよりも若干短い長さに設定されているため、図２，図４に示すように、玄関土間部１ｂの後側に位置する角材６ａと、側板部１２との間にスペーサー１４が差し込まれている。
すなわち、玄関防水パン１０の設置時に、玄関土間部１ｂの後側に位置する角材６ａと、側板部１２との間の隙間Ｓにスペーサー１４が差し込まれることによって、玄関防水パン１０自体がサッシ７の下枠７ａ側に移動し、底板部１１および防水シート１３の玄関出入口２ａ側縁部が、シーリング材８に対して押し付けられている。
【００２９】
続いて、框材４の取り付けについて、図４〜図９を参照して、より詳細に説明する。
まず、框材４は、基本構成として、上面部４ａと第一側面部４ｂと第二側面部４ｃとを有する框材本体と、下地材４ｄと、を備える。下地材４ｄは、角材６ａまたは／および調整材６ｂに固定されるものであり、框材本体は、下地材４ｄに固定されるものである。
また、框材４は、玄関防水パン１０の側板部１２の上方に配置され、玄関ホール部１ａと玄関土間部１ｂとの境界部分を化粧するものであるが、その中でも、人の歩行箇所に設けられる框材４は、いわゆる上がり框である。
【００３０】
上面部４ａは、框材４の上面を形成しており、人の歩行箇所に設けられる框材４の場合には当該上面部４ａが踏み面となる。
第一側面部４ｂは、上面部４ａのうち玄関防水パン１０側端部に一体形成され、下方に突出することによって、框材４の側面を形成している。
第二側面部４ｃは、上面部４ａのうち玄関防水パン１０側とは反対側の端部に一体形成され、下方に突出することによって、框材４の側面を形成している。なお、第二側面部４ｃは、場合によっては形成されないものとする（図６，図７参照）。
框材本体は、このような上面部４ａと第一側面部４ｂと第二側面部４ｃとを有することによって、断面略凹字状に形成されている。
また、下地材４ｄは、框材本体の上面部４ａと第一側面部４ｂと第二側面部４ｃで囲まれる空間内（少なくとも上面部４ａと第一側面部４ｂとで囲まれる空間内）に収容されており、框材本体の固定下地・芯材として機能している。
【００３１】
図４は、図１におけるＡ−Ａ線断面部分拡大図である。
図４に示す框材４は、上がり框であり、玄関土間部１ｂを構成する後側の角材６ａ上に、断面略Ｌ字状に形成された下地材４ｄが固定されるとともに、当該下地材４ｄを収容するようにして框材本体が固定されている。
図４に示す例において、第一側面部４ｂの下方への突出長さは、第二側面部４ｃの下方への突出長さよりも長く設定されている。また、下地材４ｄも、第一側面部４ｂに合わせて、その玄関防水パン１０側の端部における上下方向の厚みが厚くなるように設定されている。
また、スペーサー１４の上面に下地材４ｄの下面が接した状態となっており、これによって、スペーサー１４が外れることを防ぐことができる。
なお、玄関ホール部１ａには框材４の上面部４ａと面一となる床材（二点鎖線の位置）が設置されるものとする。
【００３２】
図５は、図１におけるＢ−Ｂ線断面部分拡大図である。
図５に示す框材４は、上がり框であり、玄関土間部１ｂを構成する右側の角材６ａ上と、当該角材６ａにおける玄関防水パン１０側の側面に固定された調整材６ｂ上に亘って、断面略Ｌ字状に形成された下地材４ｄが固定されるとともに、当該下地材４ｄを収容するようにして框材本体が固定されている。
図５に示す例においても、第一側面部４ｂの下方への突出長さは、第二側面部４ｃの下方への突出長さよりも長く設定されている。また、下地材４ｄも、第一側面部４ｂに合わせて、その玄関防水パン１０側の端部における上下方向の厚みが厚くなるように設定されている。
なお、玄関ホール部１ａには框材４の上面部４ａと面一となる床材（二点鎖線の位置）が設置されるものとする。
【００３３】
図６は、図１におけるＣ−Ｃ線断面部分拡大図である。
図６における框材４は、断面略Ｌ字状に形成されている。すなわち、框材本体が、第二側面部４ｃを有しない形態であるとともに、上面部４ａの長さも、図４，図５に示す例と比して短く設定されている。
さらに、下地材４ｄも、断面略Ｌ字状に形成されている。
そして、この図６に示す例において調整材６ｂは、玄関土間部１ｂを構成する左側の角材６ａにおける玄関防水パン１０側の側面に固定されている。框材４は、当該調整材６ｂ上に設けられている。
框材４のうち、玄関防水パン１０側とは反対側の端部は、間仕切壁３の側面に当接された状態となっている。そして、このような框材４の上面部４ａ上には、間仕切壁３の表面に貼り付けられて当該間仕切り壁３の表面を化粧する化粧面材３ｃ（例えば石膏ボードおよび壁クロスの組み合わせ）が設置されている。つまり、間仕切壁３の側面に取り付けられた化粧面材３ｃの下端面が、框材４の上面に接している。
【００３４】
図７は、図１におけるＤ−Ｄ線断面部分拡大図である。
図７における框材４は、下地材４ｄと框材本体とが別体として扱われているかのように、角材６ａの側面に設けられている。すなわち、框材本体は、断面略Ｌ字状に形成されており、第二側面部４ｃを有しない形態であるとともに、上面部４ａの長さも、図６に示す例と比して、さらに短く設定されている。
さらに、下地材４ｄも、断面略Ｌ字状に形成されている。
そして、框材４は、角材６ａの玄関防水パン１０側の側面に固定されている。
より詳細に説明すると、図７に示す下地材４ｄは、上述のように断面略Ｌ字状に形成されてはいるものの、その取付向きは、図４〜図６に示す下地材４ｄとは異なる。すなわち、当該下地材４ｄのうち厚みのある部位が上方に位置し、厚みの薄い部位が中央から下方にかけて設けられており、下地材４ｄは、断面視において逆Ｌ字状をなすように設けられている。
本実施の形態において、このような下地材４ｄのうち、厚みの薄い部位を挿入部４ｅと呼称し、厚みのある部位を被固定部４ｆと呼称する。
挿入部４ｅは、玄関防水パン１０の側板部１２のうち壁２側の側板部１２と、壁２の下に設けられた角材６ａの側面との間に形成された隙間Ｓに挿入される。
被固定部４ｆは、挿入部４ｅの上端部に一体形成されるとともに側板部１２の上方に位置し、框材本体が固定される。
そして、框材本体は、その上面部４ａが、被固定部４ｆの上面と間隔を空けて配置され、第一側面部４ｂが被固定部４ｆに固定されている。
框材４のうち、玄関防水パン１０側とは反対側の端部は、外壁２の内側面に当接された状態となっている。そして、このような框材４の上面部４ａ上には、外壁２の内側面に貼り付けられて当該外壁２の内側面を化粧する化粧面材２ｃ（例えば石膏ボードおよび壁クロスの組み合わせ）が設置されている。つまり、外壁２の側面に取り付けられた化粧面材２ｃの下端面が、框材４の上面に接している。
【００３５】
図５，図６に示す例において調整材６ｂは、框材４を取り付けるための下地材として機能している。本実施の形態においては、玄関土間部１ｂの右側と左側と後側に設けられた角材６ａの側面にそれぞれが固定され、框材４を取り付けるための下地を形成している。
また、本実施の形態においては調整材６ｂの数は一つずつであったが、これに限られるものではなく、図８に示すように、複数の調整材６ｂを、角材６ａの側面に連続して固定してもよい。このように複数の調整材６ｂを連続して固定すれば、框材４を取り付けるための下地の面を広く確保することができる。
【００３６】
なお、調整材６ｂを角材６ａの側面に固定する際は、ビス等の固定具による固定や接着剤による接合固定、またはその組み合わせによる固定が行われる。また、下地材４ｄを角材６ａまたは調整材６ｂに固定する際も同様に、固定具や接着剤による固定が行われる。さらに、框材本体を下地材４ｄに固定する際も同様に、固定具や接着剤による固定が行われる。
また、調整材６ｂの上下寸法は、角材６ａの上下寸法と略等しく設定されており、角材６ａの上面と調整材６ｂの上面は略等しい高さであって、面一の状態である。そのため、調整材６ｂ自体の設置安定性を高めることができるとともに、当該調整材６ｂに取り付けられる框材４（下地材４ｄ）の安定性も高めることができる。
【００３７】
次に、以上のような玄関１の施工方法について説明する。
なお、玄関ホール部１ａと下地床面５は予め形成されているものとする。
まず、下地床面５の上面の周縁部のうち、玄関出入口２ａを除く縁部に角材６ａを設置固定する。また、角材６ａは、玄関ホール部１ａを構成する床体に対しても固定されるものとする。
【００３８】
続いて、外壁２および間仕切壁３を、それぞれの設置位置の角材６ａ上に設置固定する。
その固定方法は、接着剤による固定や、スクリューネジ等の固定具による固定、アンカーボルト等の連結ボルトによる躯体との固定が行われる。
外壁２には玄関出入口２ａが予め形成されるとともに、玄関出入口２ａに対してサッシ７が予め取り付けられた状態となっている。さらに、サッシ７に対しては玄関ドア２ｂを予め取り付けた状態としてもよい。
また、予め取り付けられたサッシ７の下枠７ａの収容部７ｃには、玄関防水パン１０を設置するよりも前の段階で、シーリング材８が充填された状態になっている。
続いて、角材６ａの側面に、必要な数の調整材６ｂを固定する。この時、角材６ａの上面と調整材６ｂの上面とが面一となるように固定する。
【００３９】
続いて、図２〜図７に示すように、玄関防水パン１０を下地床面５に設置するとともにスペーサー１４の施工を行う。なお、防水シート１３は、底板部１１に対して予め接着された状態となっている。
玄関防水パン１０を下地床面５に設置する際は、まず、底板部１１の下面または下地床面５に接着剤を塗布した状態とする。
そして、玄関防水パン１０の左右の側板部１２と、玄関土間部１ｂを構成する左右の角材６ａのそれぞれに固定された各調整材６ｂとの間隔を揃えながら、底板部１１を下地床面５に載せる。
さらに、接着剤の固化前に、玄関防水パン１０の後側の側板部１２と、玄関土間部１ｂを構成する後側の角材６ａとの間にスペーサー１４を差し込む。これによって、玄関防水パン１０自体をサッシ７の下枠７ａ側に移動させ、玄関防水パン１０の底板部１１および防水シート１３の玄関出入口２ａ側端部をシーリング材８に対して押し付けた状態とすることができ、水密性を確保できる。
【００４０】
続いて、玄関ホール部１ａと玄関土間部１ｂとの境界部分に框材４を取り付ける。
すなわち、玄関土間部１ｂの後側に位置する角材６ａに対して、まず、下地材４ｄを固定し、当該下地材４ｄを収容するようにして框材本体を下地材４ｄに対して固定する（図４参照）。
また、玄関土間部１ｂの右側に位置する角材６ａおよび調整材６ｂに対して下地材４ｄを固定し、当該下地材４ｄを収容するようにして框材本体を下地材４ｄに対して固定する（図５参照）。
また、玄関土間部１ｂの左側に位置する調整材６ｂに対して下地材４ｄを固定し、当該下地材４ｄを収容するようにして框材本体を下地材４ｄに対して固定する（図６参照）。
また、玄関土間部１ｂの前側に位置する角材６ａに対して下地材４ｄを固定し、当該下地材４ｄの厚みのある部分を収容するようにして框材本体を下地材４ｄに対して固定する（図７参照）。
【００４１】
なお、框材本体および下地材４ｄについては、図１，図９に示すように、自身が接する壁面の形状に合わせて、また、他の框材４の形状を考慮して適宜加工する。
図９に示す例では、玄関土間部１ｂの左側を例に挙げて示したものであり、当該箇所に設けられる框材本体および下地材４ｄは、自身が接する壁面の形状に合わせて、また、玄関１の後側に設けられる他の框材４の形状を考慮して、長さ方向両端部が加工されている。すなわち、図９に示す框材本体および下地材４ｄの玄関出入口２ａ側端部は、間仕切壁３を含む壁面の形状に合わせて切欠形成され、玄関ホール部１ａ側端部は、後側に設けられる他の框材４の形状に合わせて斜めにカットされている。
【００４２】
框材４の取り付けが終了した後は、外壁２および間仕切壁３の玄関土間部１ｂ側の面に対して化粧面材２ｃ，３ｃを取り付ける。この時、化粧面材２ｃ，３ｃの下端面を、框材４の上面に当接させるようにする。
以上のようにして玄関の施工を行うことができる。
【００４３】
本実施の形態によれば、玄関防水パン１０の側板部１２と段差６の側面との間には、玄関防水パン１０の底板部１１の縦横寸法が下地床面５の縦横寸法よりも短く設定されることによって隙間Ｓが形成されているので、例えば玄関防水パン１０の底面の縦横寸法が、玄関土間部１ｂの床面の縦横寸法とが近似する場合に比して、玄関防水パン１０を、玄関土間部１ｂに対して、寸法精度に関わりなく容易に設置することができる。
さらに、玄関防水パン１０の側板部１２のうち、玄関出入口２ａとは反対側に位置する側板部１２と、段差６の側面との間の隙間Ｓには、玄関防水パン１０自体をサッシ７の下枠７ａ側に移動させるスペーサー１４が差し込まれているので、玄関防水パン１０の施工精度や寸法精度に関わりなく、玄関防水パン１０の出入口側端部をサッシ７の下枠７ａに当接させることができる。また、この時、玄関防水パン１０の出入口側端部をシーリング材８に対して押し付けることができるので、玄関防水パン１０の出入口側端部とサッシ７の下枠７ａとの間の水密性を確保することができる。
これによって、施工精度や寸法精度に関わらず、高い品質を維持することが可能な玄関１構造を提供することができる。
【００４４】
また、玄関防水パン１０が下地床面５に設置され、框材４が角材６ａまたは／および調整材６ｂに対して固定されているので、玄関防水パン１０の寸法精度や下地床面５に対する施工精度に関わりなく、当該玄関防水パン１０の側板部１２の上端部を、框材４によって遮蔽することができ、玄関ホール部１ａ側の床面と玄関土間部１ｂとの境界部分を化粧することができる。
【００４５】
また、框材４は、角材６ａまたは／および調整材６ｂに固定される下地材４ｄと、下地材４ｄに固定される框材本体と、を備えるので、下地材４ｄと框材本体とを別々に施工することができる。また、このように下地材４ｄと框材本体とを別々に施工できれば、いずれか一方を加工したり、リフォーム時に框材本体だけを交換したりできるなど、利点が多い。また、施工時には、下地材４ｄを角材６ａまたは／および調整材６ｂに固定してから、当該下地材４ｄに框材本体を取り付けることができるので、施工しやすい。
【００４６】
また、外壁２および間仕切壁３のうち玄関土間部１ｂ側の面に取り付けられる化粧面材２ｃ，３ｃの下端面を、框材４の上面に接するようにすれば、特に玄関１そのものが壁際に配置される際に、玄関防水パン１０と外壁２および間仕切壁３とを近づけた状態で、框材４によって、玄関防水パン１０の側板部１２の上端部を遮蔽することができる。
【００４７】
また、下地材４ｄの挿入部４ｅが隙間Ｓに挿入され、被固定部４ｆが側板部１２の上方に配置され、この被固定部４ｆに対して框材本体が固定されるので、特に壁２が角材６ａ上に設けられて、下地材４ｄの固定箇所が十分に確保できない場合であっても、框材４によって、玄関ホール部１ａ側の床面と玄関土間部１ｂとの境界部分を確実に化粧することができる。
【符号の説明】
【００４８】
１  玄関
１ａ  玄関ホール部
１ｂ  玄関土間部
２  外壁
２ａ  玄関出入口
２ｂ  玄関ドア
３  間仕切壁
４  框材
４ａ  上面部
４ｂ  第一側面部
４ｃ  第二側面部
４ｄ  下地材
５  下地床面
６  段差
６ａ  角材
６ｂ  調整材
７  サッシ
７ａ  下枠
８  シーリング材
１０  玄関防水パン
１１  底板部
１２  側板部
１３  防水シート
１４  スペーサー
Ｓ  隙間
【図１】
2016044497.tif 000003
【図２】
2016044497.tif 000004
【図３】
2016044497.tif 000005
【図４】
2016044497.tif 000006
【図５】
2016044497.tif 000007
【図６】
2016044497.tif 000008
【図７】
2016044497.tif 000009
【図８】
2016044497.tif 000010
【図９】
2016044497.tif 000011